(57)【要約】【課題】  回転パネルの上部枢軸の下方への移動ストロークを大として、回転パネルの立設作業を容易に行い得るようにする。【解決手段】  回転パネル６の上部枢軸１８を、ガイド部材１７により上下に摺動可能に支持するとともに、上部枢軸１８の側方にねじりコイルばね２２を設け、その一端部の足片２２ｂの先端部に形成した折曲片を、上部枢軸１８の下端部に設けた嵌合孔２４に嵌合し、上部枢軸１８を足片２２ｂにより常時上向きに付勢する。【選択図】  図３
2005351012.tif 000002
【特許請求の範囲】
【請求項１】
天井に架設されたガイドレールに案内されて移動する複数枚の間仕切パネルにより室内を仕切るとともに、最終の間仕切パネルの側端と壁面との間に形成された隙間を、前記ガイドレールと床面とに上下の枢軸をもって水平回転可能に支持された回転パネルにより閉塞するようにした移動式間仕切り装置において、
前記回転パネルの上部枢軸を、回転パネルの内部に設けたガイド部材により上下に摺動可能に支持するとともに、上部枢軸の側方に、該上部枢軸に向かって延出する下向きに弾性変形可能な足片を備える付勢手段を設け、前記足片の先端部を、前記上部枢軸の下端部に、該上部枢軸の上端部が常時回転パネルの上端より突出するように上向きに付勢して連係したことを特徴とする移動式間仕切り装置。
【請求項２】
付勢手段をねじりコイルばねとし、その一端側の足片の先端部を、上部枢軸と直交する方向に直角に折曲して、該上部枢軸の下端部に穿設した、直径方向を向く側方に長い嵌合孔に嵌合した請求項１に記載の移動式間仕切り装置。
【請求項３】
上部枢軸の上端部に小径軸部を設け、該小径軸部を、ガイドレール内に固定した軸受部材に、小径軸部の下方の上部枢軸の拡径段部上面が軸受部材の下面と当接するように、挿脱可能に嵌合するようにした請求項１または２に記載の移動式間仕切り装置。
【請求項４】
回転パネルにおける壁面と反対側の側端下部に、回転パネルを閉塞位置まで回転させたとき、床面に設けた受け孔に嵌合し得るロックピンと、このロックピンを上下動させる操作レバーとを設けた請求項１ないし３のいずれかに記載の移動式間仕切り装置。
【請求項５】
回転パネルの下部枢軸を、上下方向に位置調節可能に設けた請求項１ないし４のいずれかに記載の移動式間仕切り装置。
【発明の詳細な説明】
【技術分野】
【０００１】
本発明は、例えば宴会場や多目的ホール等の室内を仕切る移動式間仕切り装置に係り、特に、その最終の間仕切パネルと壁面間の隙間を閉塞する回転パネルの支持構造に関する。
【背景技術】
【０００２】
移動式間仕切り装置は、室内の壁面に近接して重ねて格納された複数枚の間仕切パネルを、天井に架設されたガイドレールの移動経路に沿って順次１枚ずつ移動させ、パネルの側端面同士を当接させて室内を仕切るものであるが、室内の両側壁間の間隔が、定形をなす間仕切パネルの整数倍とならないことが多いことから、最終の間仕切パネルと壁面間に形成される隙間を塞ぐ必要がある。
【０００３】
従来は、上記隙間を、取り外し可能な別の塞ぎパネルにより塞いだり、最終の間仕切パネルに塞ぎパネルを収容しておき、これを、手または操作ハンドルの操作により引き出して閉塞するなどしていた。
【０００４】
しかし、このような方法では、塞ぎパネルを別の場所から運んで立設したり、塞ぎパネルを最終の間仕切パネルより引き出したりする作業が面倒であり、また操作ハンドルにより塞ぎパネルを自動的に出し入れするようにすると、構造が複雑となってコスト高となる問題がある。
【０００５】
そこで、本願の出願人は、ガイドレールと床面とに、上下の枢軸により水平回転可能に支持することにより、最終の間仕切パネルと壁面との間の隙間を開閉可能に閉塞する回転パネルを案出し、先に特許出願している（例えば特許文献１参照）。
【０００６】
【特許文献１】特開２００２−３６４２６１号公報（図３〜図６等）
【発明の開示】
【発明が解決しようとする課題】
【０００７】
上記特許文献１に記載されている回転パネルにおいては、回転パネルの上端をガイドレールに支持するための上部枢軸を、それに嵌挿された圧縮コイルばねにより常時上向きに付勢するようにしているため、上部枢軸が圧縮コイルばねを最大限圧縮して押下されても、ばね自身の最少圧縮寸法には限界があるため、上部枢軸の下方への移動ストロークを大きく取れないという問題があった。
【０００８】
そのため、回転パネルをガイドレールと床面との間に立設する際において、上部枢軸を先にガイドレールの軸受けに挿入し、回転パネルを圧縮コイルばねに抗して持ち上げて下部枢軸を床面の受け孔に嵌合して立設する作業が面倒となる。
【０００９】
これを解決するためには、下部枢軸の突出寸法を小さくしたり、アジャスタによりその突出寸法を調節したりすることも考えられるが、前者のようにすると、床面の受け孔への下部枢軸の挿入深さが浅くなって回転パネルの支持強度が小さくなる。また後者のようにすると、予め突出寸法を小さくしておいた下部枢軸を、アジャスタの回転操作により大きく突出させなければならず、その作業が面倒となる。
【００１０】
本発明は、上記問題点を解決するためになされたもので、最終の間仕切パネルと壁面間の隙間を、簡単かつ開閉可能に閉塞し得るとともに、上部枢軸の下方への移動ストロークを大として、回転パネルの立設作業を容易に行うことができるようにした移動式間仕切り装置を提供することを目的としている。
【課題を解決するための手段】
【００１１】
上記課題を解決するために、本発明の請求項１に記載の移動式間仕切り装置は、天井に架設されたガイドレールに案内されて移動する複数枚の間仕切パネルにより室内を仕切るとともに、最終の間仕切パネルの側端と壁面との間に形成された隙間を、前記ガイドレールと床面とに上下の枢軸をもって水平回転可能に支持された回転パネルにより閉塞するようにした移動式間仕切り装置において、
前記回転パネルの上部枢軸を、回転パネルの内部に設けたガイド部材により上下に摺動可能に支持するとともに、上部枢軸の側方に、該上部枢軸に向かって延出する下向きに弾性変形可能な足片を備える付勢手段を設け、前記足片の先端部を、前記上部枢軸の下端部に、該上部枢軸の上端部が常時回転パネルの上端より突出するように上向きに付勢して連係したことを特徴としている。
この特徴によれば、上部枢軸が付勢手段の足片を弾性変形させて下方に移動する際、その移動方向に従来のような圧縮コイルばねが存在しないため、上部枢軸の下方への移動ストロークが増大する。従って、上部枢軸の上端部をガイドレールに枢支して、回転パネルを持ち上げる際の相対移動量が大となり、床面と回転パネルの下端との間の隙間も大きくなることから、下部枢軸の突出寸法が大であっても、これを床面の受け孔に容易に嵌合することができる。
また、受け孔への下部枢軸の嵌合深さを大きくし得るため、回転パネルを安定して支持することができるようになる。
【００１２】
本発明の請求項２に記載の移動式間仕切り装置は、請求項１に記載の移動式間仕切り装置であって、付勢手段をねじりコイルばねとし、その一端側の足片の先端部を、上部枢軸と直交する方向に直角に折曲して、該上部枢軸の下端部に穿設した、直径方向を向く側方に長い嵌合孔に嵌合したことを特徴としている。
この特徴によれば、特別に製作した付勢手段を用いる必要がないのでコスト低減を図れるだけでなく、足片を長寸とすることにより、上部枢軸の下方への移動ストロークを簡単に増大することができる。
また、上部枢軸の回転が足片により阻止されるので、ガイド部材と上部枢軸との摺動面の摩耗を抑えることができる。
【００１３】
本発明の請求項３に記載の移動式間仕切り装置は、請求項１または２に記載の移動式間仕切り装置であって、上部枢軸の上端部に小径軸部を設け、該小径軸部を、ガイドレール内に固定した軸受部材に、小径軸部の下方の上部枢軸の拡径段部上面が軸受部材の下面と当接するように、挿脱可能に嵌合するようにしたことを特徴としている。
この特徴によれば、小径軸部が軸受部材に勘合された際、その下方の上部枢軸の拡径段部上面が広い面積で軸受部材の下面に当接するので、ガイド部材と上部枢軸との摺動面に摩耗が生じたとしても、上部枢軸のがた付きを抑えることができる。
【００１４】
本発明の請求項４に記載の移動式間仕切り装置は、請求項１ないし３のいずれかに記載の移動式間仕切り装置であって、回転パネルにおける壁面と反対側の側端下部に、回転パネルを閉塞位置まで回転させたとき、床面に設けた受け孔に嵌合し得るロックピンと、このロックピンを上下動させる操作レバーとを設けたことを特徴としている。
この特徴によれば、操作レバーを上下動させるだけの簡単な操作で、回転パネルを閉塞位置に固定したり、開いたりすることができる。
【００１５】
本発明の請求項５に記載の移動式間仕切り装置は、請求項１ないし４のいずれかに記載の移動式間仕切り装置であって、回転パネルの下部枢軸を、上下方向に位置調節可能に設けたことを特徴としている。
この特徴によれば、下部枢軸の突出寸法が長くても、これを上方に移動させた状態で回転パネルを立設し、後から下部枢軸を突出させて受け孔に嵌合し得るので、その作業が容易となる。
また、下部枢軸の突出寸法を調節することにより、回転パネルの床面からの高さを最適に調整することができる。
【発明を実施するための最良の形態】
【００１６】
以下、本発明の一実施形態を図面に基づいて説明する。
【００１７】
図１は、本発明が適用された移動式間仕切り装置における複数の間仕切パネル１を、一方の壁面２側に形成された格納部３より、天井のガイドレール４に沿って順次１枚ずつ引き出して室内を仕切る状態を示す斜視図、図２は、同じく複数の間仕切パネル１により部屋を仕切るとともに、最終の間仕切パネル１と壁面２との間の隙間５を、回転パメル６により開閉可能に閉塞する態様を示す斜視図である。
【００１８】
上記各間仕切パネル１は、その上端に立設した左右１対の垂直軸に枢支したガイドローラ（いずれも図示略）を、ガイドレール４の下向きコ字状の案内溝４ａ（図４参照）に遊嵌するとともに、下端部に収容した左右１対のキャスタ７，７を床面上に走行させることにより、ガイドレール４に沿って円滑に移動し得るようになっている。
【００１９】
なお、キャスタ７は公知の進退機構により間仕切パネル１を上方に持ち上げたとき自動的に突出して保持されるとともに、再度間仕切パネル１を持ち上げた際に内部に自動的に格納されるようになっている。
【００２０】
従って、ガイドレール４に沿って所定位置まで走行させた後、キャスタ７を格納し、間仕切パネル１の下端を床面に当接させて立設することができる。また、図示は省略するが、各間仕切パネル１は、その側端に突設した操作レバーを下方に押下し、それに連係したロックピンを床面に設けた受け孔に落し込むことにより、定位置に固定し得るようになっている。８は、間仕切パネル１の上端とガイドレール４との間の隙間を塞ぐブラシ状の閉塞部材である。
【００２１】
上記回転パネル６は、図３及び図４に示すように、左右のサイドフレーム９と、それらの上下両端の対向面同士を連結している上部フレーム１０及び下部フレーム１１と、両サイドフレーム９と上部フレーム１０と下部フレーム１１とにより囲まれた方形の枠内に嵌め込まれたパネル１２とを備えている。
【００２２】
上部フレーム１０は、側面視概ねＵ字状断面をなし、その上方寄りの対向面同士を連結している仕切板１３の上面には、前後１対のＬ字状断面の押え版１４，１４がねじ止めされ、両押え板１４の上向片１４ａと、仕切板１３より上方の上部フレーム１０の内面との間には、前述したと同様のブラシ状の閉塞部材８の下端部が挟着されている。
【００２３】
上記仕切板１３における壁面２側の側端部下面には、側面視下向きコ字状のブラケット１５が、側端部をサイドフレーム９内に突出させてねじ１６により固着されている。
【００２４】
ブラケット１５の上片１５ａの上面には、仕切板１３の開口を通して、ガイド部材１７の下面が、溶接により固着されている。また、１８は、回転パネル６の壁面２側の側端部をガイドレール４に回転自在に枢支する上部枢軸で、ブラケット１５の上片１５ａとガイド部材１７を回動自在に挿通して上方に突出している。
【００２５】
上部枢軸１８の上端部の小径軸部１８ａは、ガイドレール４の側端部のコ状空間内に嵌合されて固定板１９に挿通したボルト（図示略）により固定されたポリアセタール等よりなる軸受部材２０に、着脱可能に、かつ小径軸部１８ａの下方の上部枢軸１８の拡径段部上面を軸受部材２０の下面に当接させて、支持されるようになっている。
【００２６】
図５に示すように、ブラケット１５の前後の垂下片１５ｂ，１５ｂの内側端部により支持された支持ピン２１にはねじりコイルばね２２が遊嵌され、その短寸をなす一端側の足片２２ａの内方の面は、図３に示すように、ブラケット１５における上片１５ａの長手方向の一端部側より折り曲げ加工により垂設された垂下片１５ｃの下端に係止されている。
【００２７】
ねじりコイルばね２２の長寸をなす他端側の足片２２ｂの先端に直角に折曲された折曲片２２ｃは、上部枢軸１８の下端部の拡径部１８ｂに直径方向に向かって穿設された左右方向に長い嵌合孔２４に嵌合されている。
【００２８】
ねじりコイルばね２２の両足片２２ａ，２２ｂは、自由状態から外開きとなるように予めねじり力を付与してセットされており、従って上部枢軸１８は、常時上向きに付勢されるようになっている。このようなねじりコイルばね２２を用いることにより、上部枢軸１８の下方への移動ストロークを、従来のような圧縮コイルばねに比して増大することができる。
【００２９】
上記下部フレーム１１は、側面視概ね下向きＵ字状をなし、内部の上下２枚の仕切板２５，２５における壁面２側の側端部には、正面視コ字状断面の補強部材２６が固着されている。
【００３０】
下部の仕切板２５と補強部板２６の下部の水平片２６ａとに形成された雌ねじ孔には、上部枢軸１８の中心軸線と同軸をなす下部枢軸２７の上半部の雄ねじ２７ａが螺合されている。下部枢軸２７の下端部の小径軸２７ｂは、床面Ｆに嵌着した受け坪２８内に回転自在に嵌合され、かつ拡径段部２９の下面は、受け坪２８の上面に摺動自在に当接するようになっている。
【００３１】
雄ねじ２７ａの上端に突設した小径のガイド軸２７ｃは、上部の仕切板２５と補強部材２６の上部水平片２６ｂを挿通して上方に突出し得るようになっている。３０は、下部枢軸２７のロックナット、３１は、下部枢軸２７の上方への最大移動量を規制するストッパボルトである。
【００３２】
回転パネル６を、ガイドレール４の側端部と壁面２と近接する床面Ｆ間に立設するには、下部枢軸２７を所要寸法上方に移動させた状態で、まず上部枢軸１８の上端部の小径軸部１８ａを、ガイドレール４の側端部内に固定された軸受部材２０に下方より嵌合する。
【００３３】
次いで、回転パネル６を持ち上げ、その下端と床面Ｆとの間に隙間を形成した後、下部枢軸２７を下方に突出させてその小径軸２７ｂを受け坪２８内に挿入する。
【００３４】
回転パネル６を持ち上げると、上部枢軸１８がねじりコイルばね２２を撓ませて相対的に下方に移動するが、前述したように、上部枢軸１８の下方への移動ストロークが大であるので、その分、回転パネル６を大きく持ち上げることができる。従って、回転パネル６の下端と床面Ｆとの間に大きな隙間を形成し得るので、下部枢軸２７を受け坪２８に容易に挿入することができる。
【００３５】
また、下部枢軸２７を予め上方に大きく引き込んでおく必要がないので、下向きに突出させて受け坪２８に挿入する際のねじ回し量が少なくて済む。
【００３６】
下部枢軸２７を受け坪２８に挿入した後、下部枢軸２７の突出量を調節し、回転パネル６の床面Ｆからの高さを調節する。これにより、回転パネル６は、壁面２と近接した位置において上下の枢軸１８，２７を中心として水平に回転し、最終の間仕切パネル１と壁面２間の隙間５を閉塞することができるとともに、扉代わりとして隙間５を開閉することもできる。
【００３７】
また、不使用時には、格納部３に、壁面２と平行をなす位置まで回動させて、他の間仕切パネル１と共に重ねておくことができる。
【００３８】
なお、回転パネル６の壁面２と反対側のサイドフレーム９の下部の側端面には、図６に示すように、上下方向を向く長孔３２に沿って上下動し得る操作レバー３３が突設され、これを押し下げて、内部のロックピン３４の下端を、床面Ｆに設けた受け孔３５に挿入することにより、閉塞位置で固定されるようになっている。
【００３９】
上部枢軸１８の付勢手段は、上記ねじりコイルばね２２に代えて、板ばねを用いることもできる。
【００４０】
すなわち、図７に示すように、ブラケット１５の両垂下片１５ｂの側端部の対向面に固着した取付片３６の上面に、板ばね３７の側端部をねじ止めし、板ばね３７の先端部の二又片３７ａ，３７ａにより上部枢軸１８の拡径部１８ｂを挟み、かつ該拡径部１８ｂに挿嵌したピン３８の両突出端部を、二又片３７ａの下面に折り返して形成された長孔３９内に遊嵌する。このようにしても、上部枢軸１８の下方への移動ストロークを大とすることができる。
【図面の簡単な説明】
【００４１】
【図１】本発明の一実施形態の移動式間仕切り装置における各間仕切パネルを移動させて室内を仕切る状態の斜視図である。
【図２】同じく、最終の間仕切パネルと壁面間の隙間を回転パネルにより開閉可能に閉塞する状態の斜視図である。
【図３】回転パネルの壁面側の側端部を一部縦断して示す正面図である。
【図４】同じく、図３のＩＶ−ＩＶ線に沿う縦断側面図である。
【図５】同じく、図３のＶ−Ｖ線に沿う拡大横断平面図である。
【図６】回転パネルの壁面と反対側の側端下部の斜視図である。
【図７】上部枢軸の付勢手段の第２の実施形態を示す図５と同部位の横断平面図である。
【符号の説明】
【００４２】
１                間仕切パネル
２                壁面  
３                格納部
４                ガイドレール
４ａ              案内溝
５                隙間
６                回転パネル
７                キャスタ
８                閉塞部材
９                サイドフレーム
１０              上部フレーム
１１              下部フレーム
１２              パネル
１３              仕切板
１４              押え板
１４ａ            上向片
１５              ブラケット
１５ａ            上片
１５ｂ、１５ｃ    垂下片
１６              ねじ
１７              ガイド部材
１８              上部枢軸
１８ａ            小径軸部
１８ｂ            拡径部
１９              固定板
２０              軸受部材
２１              支持ピン
２２              ねじりコイルばね
２２ａ、２２ｂ    足片
２２ｃ            折曲片
２４              嵌合片
２５              仕切板
２６              補強部材
２６ａ、２６ｂ    水平片
２７              下部枢軸
２７ａ            雄ねじ
２７ｂ            小径部
２８              受け坪
２９              拡径段部
３０              ナット
３１              ストッパボルト
３２              長孔
３３              操作レバー
３４              ロックピン
３５              受け孔
３６              取付片
３７              板ばね
３７ａ            二又片
３８              ピン
３９              長孔
Ｆ                床面
Ｒ                天井
【図１】
2005351012.tif 000003
【図２】
2005351012.tif 000004
【図３】
2005351012.tif 000005
【図４】
2005351012.tif 000006
【図５】
2005351012.tif 000007
【図６】
2005351012.tif 000008
【図７】
2005351012.tif 000009